(57)【要約】  本発明は、照明システムを形成するパネルの組１に関するもので、該組は発光パネル２及び光反射パネル３を有し、各パネルは２つの反対方向に向く第１側部４、２つの反対方向に向く第２側部５及び２つの反対方向に向く主面６を有する。各パネルは天井７から、自身の１つの第１側部４を該天井に対面させて懸架される。発光パネル２は自身の第２側部に配置された光源１１を有する。発光パネル２の第２側部５は光反射パネル３の主面６に、光源１１が光反射パネル３の主面６を照明すべく配置されるように対面する。本発明は、このようなパネルの組を含む照明システム及び音響パネル自体に関するものでもある。
2017514284.tif 000002
【特許請求の範囲】
【請求項１】
２つの反対方向に向く主面と、２つの反対方向に向く第１側部と、２つの反対方向に向く第２側部とを有する音響パネルであって、前記音響パネルは、
−  前記音響パネルを天井から吊り下げるための懸架部材であって、前記音響パネルが前記天井から吊り下げられた場合に前記２つの反対方向に向く主面が前記天井に対して直角に配置されるように前記第１側部の一方の第１側部上に配設される懸架部材と、
−  前記音響パネルが前記天井から吊り下げられた場合に前記天井に対して平行で且つ前記主面の垂線に対して直角な主方向に照明を供給するように前記第２側部の一方の第２側部上に配設される光源と、
を有する、音響パネル。
【請求項２】
前記主面の少なくとも一方が光反射面である、請求項１に記載の音響パネル。
【請求項３】
前記光源がＬＥＤ光源である、請求項１又は請求項２に記載の音響パネル。
【請求項４】
前記光源が配設された前記第２側部が拡散器を更に備える、請求項１ないし３の何れか一項に記載の音響パネル。
【請求項５】
前記拡散器が拡散スクリーンであり、該拡散スクリーンと前記光源との間の距離が少なくとも５０ｍｍである、請求項４に記載の音響パネル。
【請求項６】
照明システムを形成するパネルの組であって、該組は発光音響パネルと光反射音響パネルとを有し、各パネルは２つの反対方向に向く第１側部と２つの反対方向に向く第２側部と２つの反対方向に向く主面とを有し、各パネルは第１側部が天井に向いて前記天井から吊り下げられ、前記発光音響パネルは請求項１に記載の音響パネルであり、前記光反射音響パネルにおける前記主面の少なくとも一方は光反射面であり、前記発光音響パネルにおける前記光源は前記光反射音響パネルの前記光反射面を照明する、パネルの組。
【請求項７】
前記発光音響パネル及び前記光反射音響パネルが互いに対してずらされたパターンで配置される、請求項６に記載のパネルの組。
【請求項８】
前記発光音響パネルが該発光音響パネルの反対方向に向く両第２側部上に配設された光源を有する、請求項６又は請求項７に記載のパネルの組。
【請求項９】
前記発光音響パネル及び前記光反射音響パネルのうちの少なくとも一方が、自身の反対方向に向く第１側部の一方の第１側部上に光源を有する、請求項６ないし８の何れか一項に記載のパネルの組。
【請求項１０】
第１組のパネルにおける前記発光音響パネルが、発光パネル及び光反射パネルを有する第２組のパネルにおける光反射パネルを構成する、請求項６ないし９の何れか一項に記載のパネルの組。
【請求項１１】
前記光反射音響パネルの光反射面が光拡散特性を有する、請求項６ないし１０の何れか一項に記載のパネルの組。
【請求項１２】
前記発光音響パネルの前記主面が前記光反射音響パネルの前記主面に対して４５〜９０度の角度で配置される、請求項６ないし１１の何れか一項に記載のパネルの組。
【請求項１３】
少なくとも第１組及び第２組の請求項６ないし１２の何れか一項に記載のパネルの組を有する照明システムであって、前記第１組のパネル及び前記第２組のパネルにおけるパネルが、前記第１組のパネルにおける発光パネルが前記第２組のパネルの発光パネルにより照明された場合に光反射パネルを構成するように配置される矢筈パターンで配置される、照明システム。
【請求項１４】
少なくとも第１組及び第２組の請求項６ないし１２の何れか一項に記載のパネルの組を有する照明システムであって、前記第１組のパネル及び前記第２組のパネルにおけるパネルは、前記第１組のパネルにおける発光パネルが該第１組のパネルにおける光反射パネル及び前記第２組のパネルにおける光反射パネルを照明するように配置されると共に、前記第１組のパネルにおける前記発光パネルの主面が前記第２組のパネルにおける前記発光パネルの主面と実質的に平行に配置される一方、前記第１組のパネルにおける前記光反射パネルの主面が前記第２組のパネルにおける前記光反射パネルの主面と実質的に平行に配置されるような市松パターンで配置される、照明システム。
【発明の詳細な説明】
【技術分野】
【０００１】
本発明は、発光音響パネル、及び照明システムを形成する斯様なパネルの組に関する。本発明は、少なくとも第１組及び第２組のパネルを有する照明システムにも関する。
【背景技術】
【０００２】
天井から吊り下げられて配置されるパネルの形態の消音器（吸音器）は当業技術において良く知られている。これらのパネルは、例示として、天井から平行に懸垂されて配置することができる。また、矢筈パターン等の他のパターンも用いることができる。このようなパネルにより、埋め込まれた照明を有するようにし（照明は当該パネルの床に面する下側縁部に配置される）、これにより部屋の一次照明を行うようにすることが知られている。光源は、例示として、ＬＥＤの形態とすることができる。
【０００３】
文献EP-2180109は、吸音器の機能を果たすために取付レールを介して天井から吊り下げることが可能な発泡体部品の形態のパネルを開示している。上記発泡体部品は２つの反対方向に向く側壁及び下方に面する端面を有している。該発泡体部品は、上記側壁及び下方に面する端面に関連された輪郭付けされた部分を更に有している。該輪郭付けされた部分は、対応する側壁の方向に開くように形成され、当該発泡体部品の全長にわたり延在する。ＬＥＤのストリップの形態の発光素子が各々の輪郭付けされた部分内に設けられる。これらＬＥＤは後壁及び輪郭付けされた部分の上部を直接的に照明し、反射により、当該光は該輪郭付けされた部分の開口を介して間接的に、且つ、該発泡体部品の下方に向く端面を介して拡散的に出射する。
【０００４】
オフィス環境で使用する場合、垂直パネルの減音能力が全ての方向で等しく働くことが望ましい。平行な列のように、主に一方向に向けられたパネルの場合、音は当該パネルの向きに直角な方向において（即ち、当該パネルの主面に直交して）最適に遮断される。しかしながら、当該パネルに平行な方向の遮音効果は低い。このように、より正方形的なレイアウトを持つオフィス空間の場合、このような平行に懸架されるパネルは全ての伝達方向に対して音響的な改善を提供することはできない。これらの問題を解決するために、所謂市松パターン又は矢筈パターンを用いることにより、平行なパネルから生じる音響方向の影響を低減することを試みることが知られている。
【発明の概要】
【発明が解決しようとする課題】
【０００５】
本発明の１つの目的は、照明システムを形成するパネルの組であって、間接照明を提供するための照明手段の組込を可能にするものを提供することである。
【０００６】
他の目的は、全方向的吸音を可能にするパネルの組を少なくとも部分的に提供することである。
【０００７】
更に他の目的は、全方向的吸音を可能にする照明パネル自体を提供することである。
【課題を解決するための手段】
【０００８】
本発明の第１態様によれば、上記及び他の目的は照明システムを形成するパネルの組により達成され、該組は発光パネルと光反射パネルとを有し、各パネルは２つの反対方向に向く第１側部（第１側面）と２つの反対方向に向く第２側部（第２側面）と２つの反対方向に向く主面とを有し、各パネルは第１側部が天井に向いて前記天井から吊り下げられ（懸架され）、前記発光パネルは該パネルの第２側部に配設された光源を有し、前記発光パネルの該第２側部は前記光反射パネルの主面に、前記光源が該光反射パネルの主面を照明するために配置されるようにして対面する。
【０００９】
このように、各組におけるパネルは、光源を備える発光パネルが、反射パネルとして機能する隣接する第２パネルの主面に向いて配置されるようなパターンで配置される。該パターンは、例示として、矢筈パターン（herringbone pattern）又は市松（チェッカーボード）パターンとすることができる。このようなパネルの２以上の組を組み合わせる場合、第１組において発光パネルを構成するパネルは第２の隣接するパネル組の発光パネルと協働する場合に反射パネルを構成することができることは言うまでもない。これにより、１つの同一の組におけるパネル間のみならず、隣接する組におけるパネル間の相互作用も達成される。このことは、効果的なグレアのない光分布の提供を可能にする。また、殆どの状況において快適で、心地よいと体験される部屋の間接照明を達成することができる。更に、均一に照明される天井面がもたらされ、当該システム内での暗い領域の発生を防止することができる。
【００１０】
本出願の前後関係において使用される光源なる用語によれば、該用語は単一の光源に限定されるものではなく、むしろ少なくとも１つの光源を有する発光領域と見なされるべきである。斯かる光源により発光される“立体角”は、特に所謂ランバート発光体が用いられる場合、隣接するパネル（即ち、前記反射パネル）の実質的に全主面をカバーするように配置することができる。このことは、二次光学系を余分なものとさせ、当該光源への直視を防止する。光源により発光される“立体角”は、一般的に、該光源が単位半径の球の中心に配置された場合に該光源により照明される表面面積として定義される。本出願の前後関係において、光源は点光源として近似される。
【００１１】
従って、改善された輝度又はグレア性能を持つパネルに組み込まれた照明のための費用効果的な解決策を提供することができる。
【００１２】
前記発光パネル及び前記光反射パネルは、ずらされたパターン（staggered pattern）で配置することができる。前記発光パネル及び前記光反射パネルは、例示として、ずらされた矢筈パターン又はずらされた市松パターンで配置することができる。音響的シミュレーションは、幾つかの参照構成と比較して、本発明による構成は、一層小さな注意散逸半径（radius of distraction）を有し、従って改善された音響的性能を示すことを示している。
【００１３】
部屋内に取り付けられる場合、全てのパネルは良好に定められたパネル間距離で配置されることが好ましい。更に、全てのパネルは、自身の主面を当該部屋の壁に対して最適な音響的減衰をもたらすような角度にして配置されることが好ましい。該壁に対する角度は、好ましくは、４５度等の斜角とする。
【００１４】
前記発光パネルは、自身の反対方向に向く両第２側部に配設された光源を有することができる。これにより、第１組のパネルの一部を形成する発光パネルは、該第１組のパネルの一部を形成する反射パネルのみならず、隣接する第２組のパネルの一部を形成する反射パネルをも照明するために使用することができる。これにより、複数の組のパネルを部屋の利用可能な天井領域をカバーする所望のパターンで容易に配置することが可能にされる。
【００１５】
前記発光パネル及び前記光反射パネルのうちの少なくとも一方は、自身の反対方向に向く第１側部の一方上に光源を有することができる。このような光源は、好ましくは、当該パネルが天井から吊り下げられた場合に該天井から遠い方を向くように配置された第１側部上に配置される。これにより、斯様な光源は当該部屋の一次照明として機能することができる。
【００１６】
前記発光パネル及び前記光反射パネルは音響的なものとすることができる。これらパネルが、発光パネルの第２側部が光反射パネルの主面に面するようなパターンで天井から吊り下げられることと組み合わせて、吸音材料から形成されることにより、これらパネルは、該パネルが平行なパターンで配置された場合にそうであるような１方向のみとは反して、当該部屋内の音を２方向で制限する。
【００１７】
前記光源は、ＬＥＤ光源とすることができる。該光源は前記発光パネルと一体化することができるか、又は該発光パネルにモジュールとして配設することができる。
【００１８】
第１組のパネルにおける発光パネルは、発光パネル及び光反射パネルを有する第２組のパネルにおける反射パネルを構成するように配置することができる。
【００１９】
前記発光パネルに配設された光源により照明されるように配置される前記光反射パネルの主面は、光拡散特性を有することができる。このような特性は、如何なるグレアも低減すると共に、見る者により一層快適且つ心地よい体験の感覚を提供するためにも用いることができる。
【００２０】
光源が設けられる前記発光パネルの第２側部には、拡散器を設けることができる。該拡散器は、例示として、薄板又は格子構造体の形態とすることができる。薄板又は格子構造体を用いることにより、見る者は当該光源を直視することから防止される。
【００２１】
上記拡散器は拡散スクリーンとすることができる。該拡散スクリーンと当該光源との間の距離は、少なくとも５０ｍｍであり得る。該拡散スクリーンは、織物材料又は如何なる繊維状材料とすることもできる。該拡散スクリーンは不透明プラスチック材料とすることもできる。
【００２２】
前記発光パネルの主面は、前記光反射パネルの主面に対して４５〜９０度の角度で配置することができる。
【００２３】
他の態様によれば、前述したフィーチャの何れかによる少なくとも第１組及び第２組のパネルを有する照明システムに関するもので、前記第１組のパネル及び前記第２組のパネルにおけるパネルは、前記第１組のパネルにおける発光パネルが前記第２組のパネルの発光パネルにより照明された場合に光反射パネルを構成するように配置される矢筈パターン（herringbone pattern）で配置される。該矢筈パターンは、ずらされた矢筈パターンとすることができる。
【００２４】
他の代替例として、前記第１組のパネル及び前記第２組のパネルにおけるパネルは、前記第１組のパネルにおける発光パネルが該第１組のパネルにおける光反射パネル及び前記第２組のパネルにおける光反射パネルを照明するように配置されると共に、前記第１組のパネルにおける前記発光パネルの主面が前記第２組のパネルにおける前記発光パネルの主面と実質的に平行に配列される一方、前記第１組のパネルにおける前記光反射パネルの主面が前記第２組のパネルにおける前記光反射パネルの主面と実質的に平行に配列されるような市松パターンで配置することができる。該市松パターンは、ずらされた市松パターンとすることができる。
【００２５】
本発明の他の態様によれば、２つの反対方向に向く主面と、２つの反対方向に向く第１側部（第１側面）と、２つの反対方向に向く第２側部（第２側面）とを有する音響（吸音）パネルが提供され、該音響パネルは：前記音響パネルを天井から吊り下げるための懸架部材であって、前記音響パネルが前記天井から吊り下げられた場合に前記２つの反対方向に向く主面が前記天井に対して直角に配置されるように前記第１側部の一方上に配設される懸架部材と；前記音響パネルが前記天井から吊り下げられた場合に前記天井に対して平行で且つ前記主面の垂線に対して直角な主方向に照明を供給するように前記第２側部の一方上に配設される光源と、を更に有する。
【００２６】
このような音響パネルは、全ての関連する態様において、前記システムに関して前述したものと同様の利点を提供するが、不要な繰り返しを避けるために、先の各段落を参照されたい。
【００２７】
また、本発明は請求項に記載されるフィーチャの全ての可能性のある組み合わせにも関係するものであることに注意されたい。
【００２８】
本発明の上記及び他の態様は、本発明の実施態様を示す添付図面を参照して後に更に詳細に説明する。
【００２９】
尚、添付図面は解説目的のためのものであり、従って本発明の実施態様の一般的構造を説明するために提示されるものであると強調されるべきであろう。また、同様の符号は全体を通して同様の構成要素を示している。
【図面の簡単な説明】
【００３０】
【図１】図１は、パネルの組の一実施態様を示す。
【図２】図２は、パネルの組の一例を高度に概念的に示し、発光パネルの第２側面には薄板の形態の拡散器が設けられている。
【図３】図３は、拡散スクリーンの形態の拡散器が設けられた発光パネルの一例を高度に概念的に示す。
【図４】図４は、ずらされた矢筈パターンの一例を示す。
【図５】図５は、ずらされた市松パターンの一例を示す。
【図６ａ】図６ａは、複数の異なるパターンに関して所謂音声伝達指数の測定値を表したグラフを示す。
【図６ｂ】図６ｂは、複数の異なるパターンに関して所謂音声伝達指数の測定値を表したグラフを示す。
【図６ｃ】図６ｃは、複数の異なるパターンに関して所謂音声伝達指数の測定値を表したグラフを示す。
【図７ａ】図７ａは、ラインＡにより表された測定位置を示す。
【図７ｂ】図７ｂは、ラインＢにより表された別の測定位置を示す。
【図７ｃ】図７ｃは、ラインＣにより表された別の測定位置を示す。
【図８ａ】図８ａは、測定のためのパネルパターンを示す。
【図８ｂ】図８ｂは、測定のための別のパネルパターンを示す。
【図８ｃ】図８ｃは、測定のための別のパネルパターンを示す。
【図８ｄ】図８ｄは、測定のための別のパネルパターンを示す。
【図８ｅ】図８ｅは、測定のための別のパネルパターンを示す。
【図８ｆ】図８ｆは、測定のための別のパネルパターンを示す。
【図９ａ】図９ａは、或るずらしの程度を示す。
【図９ｂ】図９ｂは、別のずらしの程度を示す。
【図９ｃ】図９ｃは、別のずらしの程度を示す。
【発明を実施するための形態】
【００３１】
以下、本発明を、本発明の現在のところ好ましい実施態様が示された添付図面を参照して更に詳細に説明する。しかしながら、本発明は多数の異なる形態で具現化することができ、ここに記載される実施態様に限定されると見なされるべきではない。むしろ、これらの実施態様は徹底さ及び完全さのために提示され、当業者に本発明の範囲を十分に伝えるものである。
【００３２】
図１を参照すると、本発明による照明システムを形成するパネルの組１の一実施態様が示されている。
【００３３】
組１は、発光パネル２及び光反射パネル３を有している。各パネル２，３は、最も一般的な形では、２つの反対方向に向く第１側面（第１側部）４、２つの反対方向に向く第２側面（第２側部）５及び２つの反対方向に向く主面６の形態の長方形幾何学的構造を有している。長方形ではあるが他の幾何学的構造も本発明の範囲内で適用可能であると理解されたい。
【００３４】
パネル２，３は、好ましくは、均一な厚さを有し、ここで、該厚さとは２つの反対方向に向く主面６の間の距離と解釈されるべきである。
【００３５】
パネル２，３は、これらパネルの第１側面４の一方を天井７に向けてバッフル（邪魔板、整流板）のように該天井７から吊り下げられるように配置される。パネル２，３は、天井７から延びるワイヤ８又は鎖で吊り下げることにより懸架することができる。パネル２，３は、固定具（図示略）に固定的に取り付けることにより懸架することもできる。上記固定具は、例示として、レールの形態とすることができる。このように、パネル２，３は概ね垂直に懸架される。本発明は、パネル２，３が垂直面に対して主面６が或る角度を形成するように懸架されねばならない場合でも適用可能である。
【００３６】
最も容易な形態において、パネル２，３は真っ直ぐな縁部を有する。もっとも、これらパネルの縁部は凹凸が付けられ得ると理解されるべきである。
【００３７】
発光パネル２は自身の第２側面５上に、光反射パネル３に面するように光源１１を備えている。光源１１は、図示されたように、反対方向に向く両側面５上に配設することができる。後者の場合、第１組のパネルにおける発光パネル２は、同じ組に含まれる光反射パネル３のみならず、隣接する第２組のパネルにおけるパネル（それ自体が発光パネルであるか光反射パネルであるかによらず）も照明することができる。デザインを問わず、光源１１は好ましくは第２側面に継ぎ目無しに組み込まれる。当該音響パネル２，３が天井７から懸架される場合、光源１１は該天井７に平行で、且つ、主面６の垂線に対して直角な主方向に照明を供給するように配置される。
【００３８】
光源１１なる用語は、単一の光源に限定されるものではなく、むしろ少なくとも１つの光源を含む発光領域１２と見なされるべきである。光源１１は、例示として、ＬＥＤ照明器具とすることができる。発光領域１２は、一つはめ（solitaire）ＬＥＤにより構成することができ、又は複数のＬＥＤのアレイとして構成することもできる。図示された実施態様において、発光領域１２は複数のＬＥＤを備える細条（ストリップ）として設けられている。
【００３９】
光源１１は、発光体がランバート余弦則（特定の理想化された表面の放射輝度は該表面の視角に依存するということを示す）に従って放射することを意味する、所謂ランバート発光体とすることができる。放射輝度は当該表面の垂線で最大であり、該垂線からの角度の余弦に比例して減少する。
【００４０】
ランバート発光体を使用することにより、斯様な発光体によりカバーされる立体角を、隣接するパネル（即ち、反射パネル３）の実質的に全主面６をカバーする照明領域１０を形成するように配置することができる。このことは、二次光学系を余分なものとさせ、光源１１への直視を防止する。
【００４１】
パネル２，３における第２側面５の発光領域１２は、光源１１からのルーメン出力に基づいて寸法決めすることができる。発光領域１２は、第２側面５の全長手方向長さＹに沿って延在することができ、又は該長さの一部のみに沿って延在することができる。後者の場合、発光領域１２は好ましくは当該第２側面５の中央部分に配置される。
【００４２】
光源１１は、発光パネル２の第２側面５と一体化することができるか、又は該第２側面に取り付けられるべき照明モジュールの形態とすることができる。
【００４３】
光源１１は、調光可能とすることができる。
【００４４】
光源１１を備えるパネル２，３の第２側面５には、拡散器１３を設けることができる。１つの斯様な例が、図２に示されている。拡散器１３は、複数の薄板の形で配設される。光源１１は、薄板１４の最外縁１５に対して凹んだ位置に配置される。更に、薄板１４は水平に向けられる。薄板１４は当該照明が明るすぎる場合にグレア性能を改善するように用いることができる。
【００４５】
また、光源１１の上記凹んだ位置により、観察者１６は光源１１を直視し、これにより妨害される危険を冒すことから防止される。
【００４６】
拡散器１３の更に他の実施態様が、図３に図示されている。該拡散器１３は、光源１１にわたって延在するように配置された拡散スクリーン１７の形をとっている。該拡散スクリーン１７は、発光パネル２の第２側面５に配置され、又は該第２側面５と一体にすることができる。均一な輝度を得るために、光源と該拡散スクリーンとの間の距離は十分に大きくなければならない。例示として、４０ｍｍの厚さｔ及び３００ｍｍの長さ方向長Ｙを有し、第２側面５にFortimo（登録商標）ＬＥＤラインが設けられたパネルの場合、光源１１と拡散スクリーン１７との間の好適な距離ｄは５０〜１００ｍｍであり得ることを試行は示している。距離ｄは、例えば拡散スクリーン１７の材料及びその透明度に依存すると理解されるべきである。拡散スクリーン１７は、例示として、織布、他の繊維ウェブ材料又は不透明プラスチック材料から形成することができる。
【００４７】
ここで、新たに図１を参照すると、パネルの組１に含まれるパネル２，３はずらされたパターンで配置される。ずらされたパターンとは、発光パネル２における第２側面５の厚さｔの方向に見た垂直中心線ＣＬ１が反射パネル３の主面６に沿い、該反射パネル３の垂直縁部９に対して水平方向にＤだけずらされることを意味する。発光パネル２の垂直中心線ＣＬ１は、反射パネル３の垂直縁部９に対して、該発光パネル２上の光源１１により照明される反射パネル３上の照明領域１０が反射パネル３の主面６上の水平方向Ｈに見て少なくとも完全に投影される程度にＤだけ水平方向にずらされるべきである。従って、反射パネル３上の照明領域１０は、このようにして投影される垂直中心線ＣＬ１に沿って見て対称となるであろう。図示された例において、投影される垂直中心線ＣＬ１は、反射パネル３の垂直中心線ＣＬ２と一致する。必要とされる水平方向のずれ（変位）Ｄは、発光パネル２における光源１１の発光出力、発光パネル２の第２側面５と反射パネル３の主面６との間の距離ｅ、及び反射パネル３における照明領域１０上の所望の輝度に依存すると理解されたい。
【００４８】
次に、図９ａ〜図９ｃを参照すると、ずらし及び異なる程度のずらしを更に説明するために３つの異なる例が示されている。図９ａはずらしが１００％である第１例を示す。１００％のずらし（即ち、完全なずらし）において、発光パネル２の第２側面５の厚さｔの方向で見た該発光パネル２の垂直中心線ＣＬ１は、反射パネル３の主面６の垂直中心線ＣＬ２と一致する。このように、発光パネル２の垂直中心線ＣＬ１は、反射パネル３の垂直縁部９から見て、該反射パネル３の全長Ｌの５０％に相当する距離Ｄだけ水平方向に変位される。
【００４９】
図９ｂは、５０％のずらしの例を示す。５０％のずらしにおいて、発光パネル２の垂直中心線ＣＬ１は、反射パネル３の垂直縁部９から見て、該反射パネル３の全長Ｌの２５％に相当する距離Ｄだけ変位される。
【００５０】
図９ｃは、面一の矢筈パターンとしても知られている無ずらしの実施態様を示す。該面一の矢筈パターンにおいて、発光パネル２の垂直中心線ＣＬ１は、反射パネル３の第２側面、従って垂直縁部９に実質的に整列される。このように、距離Ｄはゼロとなる。
【００５１】
発光パネル２の主面６は、光反射パネル３の主面６に対して４５〜９０度の角度αで配置することができる。図１及び図９ａ〜図９ｃに図示された実施態様において、角度αは９０度である。即ち、パネル２，３の主面６は直角に配置されている。
【００５２】
パネル２，３は、好ましくは、高密度ガラスウール又はロックウール等の吸音材から形成される。他のタイプの材料も可能であると理解されるべきである。
【００５３】
意図される特性及び意図される用途に依存して、パネルの組１の光反射パネル３における、少なくとも発光パネル２の第２側面５に面することを意図される主面６は、光拡散特性を示すことができる。このような特性は、光拡散表面層又は光拡散コーティングを用いることにより形成することができる。光拡散とは、どの様に光が広げられるかを意味する。光が一層拡散的に且つ均一に広げられるほど、幻惑及びグレアは一層良好に防止される。光拡散は全反射光に対する拡散反射光の比として定義することができる。
【００５４】
次に図４を参照すると、パネルの第１組１００が、ずらされた矢筈パターンの同様のパネルの複数の組２００，３００と組み合わされて図示されている。図示された実施態様において、パネルは１００％のずらしで配置されており、このことは、パネルの第１組１００における発光パネル２の垂直中心線ＣＬ１が該パネルの第１組における反射パネル３の主面６の垂直中心軸ＣＬ２と合致することを意味する。パネルの各組１００，２００，３００における発光パネル２及び反射パネル３の各主面６は互いに対して角度αで配置されている。図示された実施態様において、該角度αは９０度に設定されている。即ち、各主面は直角に配置されている。他の角度αも適用可能であると理解されるべきである。該角度αは４５〜９０度に設定されるのが好ましい。
【００５５】
パネルの第１組１００における発光パネル２が自身の両第２側面５に光源１１を備えていると仮定すると、該発光パネル２は第１パネル組１００における反射パネル３のみならず隣接する第２パネル組２００における反射パネル２’も照明する。同様に、第１パネル組１００における反射パネル３も自身の両第２側面５に光源１１を備えることにより、該反射パネル３は、隣接する第３パネル組３００におけるパネルの主面６”を照明する発光パネルとしても動作し、これにより、第３パネル組における該パネルは反射パネル３”として働く。従って、１つの同一のパネルは２つの機能を有することができる。即ち、該パネルは発光パネル２，２”及び光反射パネル３，３”として働く。
【００５６】
ずらされた矢筈パターンにより、室内で不可避的に発生される騒音は全方向的吸音作用を受ける。即ち、音は、パネルが平行な行で配列されたとしたらそうなるであろう一方向のみに反して、２つの方向で封じ込められる。該吸音作用は当該パネルを吸音材料から作製することにより向上され得る。
【００５７】
当該光源がランバート放射体型のものであるとしたら、このような光源によりカバーされる立体角は反射パネルの全主面をカバーすることができる。このことは、如何なる二次光学系も余分なものとさせると共に、当該光源への直視も防止し、グレアに対して回復力があるものとする。これは、改善された輝度／グレア性能を持つ、邪魔板に組み込まれる照明のための費用効果的な解決策と考えることができる。
【００５８】
次に図５を参照すると、パネルの第１組１００が同様のパネルの複数の追加の組と所謂市松パターンで組み合わされて示されている。図示された例において、パネルは５０％のずらしで配置されている。このように、発光パネル２の垂直中心線ＣＬ１は、反射パネル３の垂直縁部９からみて、該反射パネル３の全長Ｌの２５％に相当する距離Ｄだけ変位されている。
【００５９】
市松パターンにおいて、パネルは行Ａ，Ｂ，Ｃ，Ｄ等に配列される。行Ａ及びＣ等におけるパネルは、これらパネルの主面が互いに合致するように配向される一方、行Ｂ及びＤ等におけるパネルは、これらパネルの主面６が互いに合致するが、隣接する行Ａ及びＣ等におけるパネルの主面６とは直角的となるように配向される。
【００６０】
該市松パターンにおいて、１つの同じ行Ａ，Ｂ，Ｃ，Ｄ等におけるパネルは好ましくは１つの同じタイプのもの（即ち、両第２側面５上に配置された光源１１を持つ発光タイプ２又は隣接する行の照明パネル２により照明されるように構成された光反射タイプ３の何れか）とする。従って、図示された例において、第１パネル組１００の発光パネル２は行Ｃに配列される一方、同じパネル組における受光パネル３は隣接する行Ｂに配列される。また、第１パネル組１００における発光パネル２は、自身の組における光反射パネル３のみならず、行Ｄに配列された第２の隣接するパネル組２００の光反射パネル３”も照明する。
【００６１】
前述したずらされた矢筈パネルの場合と同様に、室内で不可避的に発生される騒音は該ずらされた市松パターンにより全方向的吸音作用を受ける。該吸音作用は当該パネルを吸音材料から形成することにより向上され得る。
【００６２】
次に図６ａ〜図６ｃを参照すると、所謂音声伝達指数（ＳＴＩ）の測定値を複数の異なるパターンに関して表した３つのグラフが示されている。
【００６３】
音声伝達指数は、音声了解度（音声明瞭度）を客観的態様で測定する良く知られたやり方を表す。測定は、人が話す位置から音を送出するスピーカ及び聴取者が位置される場所のマイクロフォンを配置することによりなされる。１２５〜８０００Ｈｚの周波数範囲内の全オクターブ帯域が測定される。該指数は、背景雑音、残響時間及び部屋の形状に直接依存するので、しばしば用いられる。
【００６４】
当該測定においては、６つの異なるパネルパターンが音響的にシミュレーションされた。５０の作業場所を持つ２０ｘ２０メートルの床面の正方形のオフィスがシミュレーションされた。含まれるパネルの全数は、２２２ｍ２のパネル表面に相当する１５４であった。背景雑音のレベルは、（空き）オフィスにおいて典型的なレベルである３８.８ｄＢＡに設定された。
【００６５】
音源（source）及び受音部（receiver）は、ラインＡ（図７ａに示された）、ラインＢ（図７ｂに示された）及びラインＣ（図７ｃに示された）により示された３つの異なる測定位置で使用された。更に、異なる試験パネル配置が図８ａ〜図８ｆに図示されている。図８ａはパネルがない状況を示している。図８ｂは、パネルが複数の平行な列に配置されるパネル設定（配置）を示している。図８ｃは、パネルが複数の平行な列に配列され、或る列におけるパネルが隣接する列におけるパネルに対してずらされたパネル配置を示している。図８ｄは、パネルがずらされた矢筈パターンで配列されたパネル配置を示している。図８ｅは、パネルが市松パターンで配列されたパネル配置を示している。図８ｆは、パネルが所謂面一矢筈パターンで配列されたパネル配置を示している。
【００６６】
測定結果は、ラインＡ、Ｂ及びＣにより表される３つの異なる測定位置に配置された音源からの距離に対してＳＴＩを表す図６ａ〜図６ｃのグラフとなった。
【００６７】
オープンプラン（間取り自由）のオフィスにおける“音響品質”を評価する場合、客観的パラメータを測定することができる。最も重要なパラメータは“注意逸散半径（radius of distraction）”（ＲＤ）であり、これはＳＴＩが０.５なる値より低下する音源からの距離に等しい。この距離を超えると、作業者は知的作業を行っている場合に、最早、話者により著しく妨害されることはない。ＲＤ値は、オフィスにおける距離対ＳＴＩ値を評価することにより決定することができる。典型的に、ＳＴＩ値は真っ直ぐなラインに沿って測定されるべきである。ここで使用される正方形オフィスにおいて、このようなラインの都合良い方向は実際には存在しない。従って、図７ａ〜図７ｃに示される３つの測定ラインが定義された。図６ａは、図７ａに示された、即ち当該部屋の中心ラインを表す軸ｙに沿った測定ラインからの結果を示す。測定位置はＡ０，１〜９として示されている。図６ｂは、図７ｂに示された、当該部屋の１つの壁に沿うラインを表す軸ｘに沿った測定ラインからの結果を示す。測定位置はＡ０，１０〜２１として示されている。図６ｃは、図７ｃに示されるような当該部屋を対角線的に沿って延びる測定ラインからの結果を示す。測定位置はＡ０，２２〜３７として示されている。
【００６８】
図６ａ〜図６ｃにおけるグラフから分かるように、“距離対ＳＴＩ”及び“注意散逸半径”に関し、パネルを追加することはオフィスの全体の音響効果を改善する。更に、測定ラインＡ及びＣに関し、全てのパネル構成は大凡等しく機能する。また、測定ラインＢの場合、ずらされた矢筈パターンは最良の結果を示す。
【００６９】
部屋に取り付けられる場合、全てのパネルが良好に定まったパネル間距離で懸架されることが好ましい。発光パネル２の第２側面５と反射パネル３の主面６との間のパネル間距離ｅ（図１参照）は、天井から吊り下げられる全パネルを通して実質的に同一にされることが好ましい。このことは、各パネル組１００，２００，３００における発光パネル２及び反射パネル３の主面６間の角度αにも当てはまり、該角度は好ましくは天井から懸架される全パネルを通して実質的に同一であるべきである。
【００７０】
吊り下げられる場合、部屋の壁に近いパネルの縁は上記パネル間距離ｅに実質的に一致する距離に配置されることが好ましい。この面において、部屋の壁は反射パネルの主面６と等しいものとされ得る。
【００７１】
更に、全てのパネルは自身の主面を、当該部屋の壁に対して最適な音響的減衰をもたらすような角度にして配置されることが好ましい。壁に対する該角度は、好ましくは、４５度等の傾斜角とする。
【００７２】
音響的シミュレーションは、幾つかの参照構成と比較して、本発明による構成は、一層小さな注意散逸半径を有し、従って改善された音響的性能を示すことを示している。
【００７３】
当業者であれば、本発明は上述した好ましい実施態様に決して限定されるものではないことを理解するものである。反対に、多数の修正例及び変形例が添付請求項の範囲内で可能である。例えば、当該パネルは、前記第２側面以外の部分、及び天井から遠い側の第１側面に追加の光源を備えることもできる。
【００７４】
また、１つの同一の部屋に異なる組のパネルを設けることもできると理解されるべきである。例示として、発光パネルが自身の第２側面のうちの一方を当該部屋の壁に向けて配置されるべきパネル組の場合、このような“壁パネル”には、壁に向けることを意図する第２側面上にのみ光源を設けることができる。上記壁自体が反射面として働き得ることは言うまでもない。
【００７５】
同様に、パネルが当該部屋内に他のパネル組により囲まれて配置されるべきパネル組の場合、反対方向に向く両第２側面が光源を備えることができる。
【００７６】
更に、開示された実施態様に対する変形例は、当業者によれば請求項に記載された本発明を実施するに際して図面、本開示及び添付請求項の精査から理解し、実施することができるものである。尚、請求項において、“有する”なる文言は他の構成要素又はステップを排除するものではなく、単数形は複数を排除するものではない。また、特定の手段が相互に異なる従属請求項に記載されているという単なる事実は、これら手段の組み合わせを有利に使用することができないということを示すものではない。
【図１】
2017514284.tif 000003
【図２】
2017514284.tif 000004
【図３】
2017514284.tif 000005
【図４】
2017514284.tif 000006
【図５】
2017514284.tif 000007
【図６ａ】
2017514284.tif 000008
【図６ｂ】
2017514284.tif 000009
【図６ｃ】
2017514284.tif 000010
【図７ａ】
2017514284.tif 000011
【図７ｂ】
2017514284.tif 000012
【図７ｃ】
2017514284.tif 000013
【図８ａ】
2017514284.tif 000014
【図８ｂ】
2017514284.tif 000015
【図８ｃ】
2017514284.tif 000016
【図８ｄ】
2017514284.tif 000017
【図８ｅ】
2017514284.tif 000018
【図８ｆ】
2017514284.tif 000019
【図９ａ】
2017514284.tif 000020
【図９ｂ】
2017514284.tif 000021
【図９ｃ】
2017514284.tif 000022
【国際調査報告】
2017514284.tif 000023
2017514284.tif 000024